(57)【要約】【課題】  本発明は、信頼性の高いガラス扉のサッシ構造の提供を目的とする。【解決手段】  本発明は、ガラス板の端面に当接する部位（５２ａ）とガラス板の周縁部におけるショーケースの庫内側の面を被覆する部位（５２）とを備えた樹脂部材（５０）と、樹脂部材に接する部位（８０）とガラス板の周縁部におけるショーケースの庫外側の面を被覆する部位（６２）とを有する金属部材（６０）とを備える。樹脂部材と金属部材とは、一方の部材に形成された突起部（５８，５９）と、他方の部材に形成されかつ突起部を囲繞保持する突起保持部（６８，６９）とが互いに連結されることにより一体となっている。【選択図】  図２
2011067666.tif 000002
【特許請求の範囲】
【請求項１】
冷凍および／または冷蔵ショーケースで使用されるガラス扉のサッシ構造において、
ガラス板の端面に当接する部位と前記ガラス板の周縁部における前記ショーケースの庫内側の面を被覆する部位とを備えた樹脂部材と、前記樹脂部材に当接する部位と前記ガラス板の周縁部における前記ショーケースの庫外側の面を被覆する部位とを有する金属部材とを備え、
前記樹脂部材と前記金属部材とは、前記部材の一方に形成された突起部と、前記部材の他方に形成されかつ前記突起部を囲繞保持する突起保持部とが互いに連結されることにより一体となっていることを特徴とするガラス扉のサッシ構造。
【請求項２】
前記樹脂部材における前記ガラス板の端面に当接する部位は、前記ガラス板の端面全体を覆っている請求項１に記載のガラス扉のサッシ構造。
【請求項３】
前記突起部および前記突起保持部は、前記ガラス板の端面に沿って延在する長尺な形状をそれぞれ有し、前記樹脂部材と前記金属部材とがスライドされることで互いに連結される請求項１または２に記載のガラス扉のサッシ構造。
【請求項４】
前記ガラス板は、複層ガラスである請求項１〜３の何れか一項に記載のガラス扉のサッシ構造。
【請求項５】
ガラス板と請求項１〜４の何れか一項に記載のサッシ構造とを備えたことを特徴とするガラス扉。
【請求項６】
庫内空間を形成するとともに開口部を備えたショーケース本体と、前記開口部に取り付けられた請求項５に記載のガラス扉と、前記庫内空間に配設された物品を冷却するための冷却手段とを備えたことを特徴とする冷凍および／または冷蔵ショーケース。
【発明の詳細な説明】
【技術分野】
【０００１】
本発明は、冷凍および／または冷蔵ショーケースで使用されるガラス扉のサッシ構造に関する。
【背景技術】
【０００２】
マーケットやコンビニエンスストア等に設置される冷蔵および／または冷凍ショーケースにおいて、開閉ドアに断熱性に優れた複層ガラスが広く使用されている。この種のショーケースでは、複層ガラスの周縁部は、サッシ（枠材）により保持されている。サッシは、複層ガラスの周縁部を受け入れるコの字断面を有し、複層ガラスの端面に対向する底面と、複層ガラスの両面（庫内側表面と庫外側表面）に対向する２つの側面とを有している。
【０００３】
サッシは、一般的に、剛性・強度の点で有利な金属材料により形成されるが、庫内側と庫外側との間の断熱性を高めるため、サッシの庫内側の部位を樹脂部材により構成する技術や、金属部材からなるサッシの庫内側の部位を樹脂部材により覆うような技術が知られている（例えば、特許文献１、２参照）。この従来技術では、サッシを構成する金属部材及び樹脂部材は、爪による引掛けや凸部と凹部の嵌め合いを介して接続されている。
【先行技術文献】
【特許文献】
【０００４】
【特許文献１】特開平１０−３３９０７５号公報
【特許文献２】米国特許第６，６０６，８３３号明細書
【発明の概要】
【発明が解決しようとする課題】
【０００５】
ところで、冷蔵／冷凍ショーケースに使用されるガラス板のサッシは、通常的なサッシに必要とされる機能や剛性以外にも、高い断熱性を実現することが求められる。一方、上述の従来技術の如く、断熱性を高めるためにサッシの庫内側の部位を樹脂部材により構成する場合、同じ断面形状の金属製のサッシに比して剛性・強度が劣るので、サッシの耐久性やサッシによるガラス板の保持剛性が低下するという問題点が生じうる。また、樹脂部材と金属部材との接続態様によっても、サッシ全体としての信頼性（耐久性）が大きく影響を受けることになる。
【０００６】
また、通常的な金属製のサッシを用いる構成では、ガラス板の端面はグレージングチャンネル（コの字断面を有するゴム製の部材）により保護されるが、上述の従来技術の如く、サッシの庫内側の部位を樹脂部材により構成する場合、部品点数が増し、各部材間の関係や全体構造が複雑化する問題点がある。また、グレージングチャンネルを廃止する場合であっても、その弊害が適切に把握・補償されるべきである。
【０００７】
そこで、本発明は、上記の問題点に鑑み、信頼性の高いガラス扉のサッシ構造及びこれを用いる冷凍および／または冷蔵ショーケースの提供を目的とする。
【課題を解決するための手段】
【０００８】
上記課題を解決するため、本発明の一形態によれば、冷凍および／または冷蔵ショーケースで使用されるガラス扉のサッシ構造において、
ガラス板の端面に当接する部位と前記ガラス板の周縁部における前記ショーケースの庫内側の面を被覆する部位とを備えた樹脂部材と、前記樹脂部材に当接する部位と前記ガラス板の周縁部における前記ショーケースの庫外側の面を被覆する部位とを有する金属部材とを備え、
前記樹脂部材と前記金属部材とは、前記部材の一方に形成された突起部と、前記部材の他方に形成されかつ前記突起部を囲繞保持する突起保持部とが互いに連結されることにより一体となっていることを特徴とするガラス扉のサッシ構造が提供される。
【０００９】
また、前記樹脂部材における前記ガラス板の端面に当接する部位は、前記ガラス板の端面全体を覆っていてよい。前記突起部および前記突起保持部は、前記ガラス板の端面に沿って延在する長尺な形状をそれぞれ有し、前記樹脂部材と前記金属部材とがスライドされることで互いに連結されてよい。前記ガラス板は、複層ガラスであってよい。本発明によるサッシ構造は、一若しくはそれ以上のガラス板との組み合せによりガラス扉として効果的に使用できる。このガラス扉は、冷凍および／または冷蔵ショーケースの開口部に取り付けられることにより効果的に使用できる。
【発明の効果】
【００１０】
以上説明したとおり本発明は、ガラス板の端面に当接する部位とガラス板の周縁部におけるショーケースの庫内側の面を被覆する部位とを備えた樹脂部材と、樹脂部材に接する部位とガラス板の周縁部におけるショーケースの庫外側の面を被覆する部位とを有する金属部材とを備えることにより、グレージングチャンネルを用いないにも拘わらず、ガラス板の端面が金属部材に接触することを防ぎ、ガラス板の破砕を防ぐことができる。
【００１１】
また、樹脂部材と金属部材とが、部材の一方に形成された突起部と、部材の他方に形成されるとともに突起部を囲繞保持するための突起保持部とが互いに連結されることにより一体となっているため、サッシの剛性が高く、充分な強度でガラス板を保持することができる。さらに、本発明では、サッシやガラス板にヒータを設けることなくこれらに結露が生じることを防ぐことができ、省エネルギーの観点で有利である。
【図面の簡単な説明】
【００１２】
【図１】本発明によるショーケースの一実施例を示す概略的な外観図である。
【図２】第１実施例によるサッシ構造の要部断面図である。
【図３】その他の実施例によるサッシ構造の要部断面図である。
【発明を実施するための形態】
【００１３】
以下、図面を参照して、本発明を実施するための最良の形態の説明を行う。
【００１４】
図１は、本発明によるショーケースの一実施例を示す概略的な外観図を示し、図２は、図１のＡ−Ａ断面に相当し、本実施例によるショーケースのサッシ構造の要部断面図である。
【００１５】
本実施例のショーケースは、冷蔵及び／又は冷凍機能を有する冷凍及び／又は冷蔵ショーケースであり、図１に示すように、ショーケース本体１０を有する。ショーケース本体１０には、その内部空間（庫内空間）を冷却する手段（図示せず）が設けられる。
【００１６】
ショーケースは、開閉可能なガラス扉２０を有する。ガラス扉２０は、複層ガラス３０と、複層ガラス３０の周縁部を保持する枠材（サッシ）４０とを含む。ガラス扉２０は、ショーケース本体１０の前面に設けられ、ショーケース本体１０の庫内空間がガラス扉２０の複層ガラス３０を介して庫外から目視可能とされる。
【００１７】
複層ガラス３０は、複数枚のガラス板３２（図２の例では、２枚）を含む。複数枚のガラス板３２は、互いに面直方向に対向して配置され、アルミ等で形成されたスペーサ３４により、面直方向に所定間隔で互いに離間される。スペーサ３４は、ガラス板３２の周縁部に沿って、隣接する２枚のガラス板３２の間に配設され、ガラス板３２の端面側でブチルゴム等の封止材により、ガラス板３２と共に一体的に固着される。尚、スペーサ３４は、複数枚のガラス板３２間に画成される空間内の空気を乾燥状態に保つための乾燥剤と共に、上記封止材が一体化されたものであってもよい。
【００１８】
枠材４０は、１つの複層ガラス３０に対して４つ設けられ、各枠材４０は、複層ガラス３０の各辺に対してそれぞれ設けられる。各枠材４０は、複層ガラス３０の４隅においてネジ等を介して互いに連結される。
【００１９】
枠材４０は、ＰＶＣ（polyvinyl  chloride），ポリプロピレンやＡＢＳ（acrylonitrile  butadiene  styrene）等の適切な硬質樹脂材料で形成された樹脂部材５０と、アルミやスチール等の金属材料で形成された金属部材６０とを有する。樹脂部材５０及び金属部材６０は、それぞれ等断面の押し出し成形により製造される。
【００２０】
樹脂部材５０は、複層ガラス３０の庫内側表面３０ａに対向する庫内側部位５２を有する。庫内側部位５２は、複層ガラス３０の端面側から複層ガラス３０の庫内側表面３０ａに略平行に延在している。庫内側部位５２と複層ガラス３０の庫内側表面３０ａとの間には、接着剤を封入するための第１の封入空間５５が形成される。庫内側部位５２の端部には、庫内側表面３０ａに当接して第１の封入空間５５を閉塞する突起５２ａが形成される。
【００２１】
樹脂部材５０は、マグネットガスケット７０を保持するガスケット保持部位５６を更に有する。マグネットガスケット７０は、軟質樹脂で形成された柔軟な本体を有し、樹脂部材５０のガスケット保持部位５６の溝内に嵌入・保持される楔状の被保持部７２を有している。マグネットガスケット７０は、枠材１２の長手方向に沿って複層ガラス３０の全周に亘り設けられ、ガラス扉２０の閉状態において、ショーケース本体１０の枠材１２の表面に吸着し、ガラス扉２０とショーケース本体１０の枠材１２との間の隙間をシールする機能を有する。尚、ショーケース本体１０の枠材１２は、ショーケース本体１０の壁体の前側に固定され、ショーケース本体１０の開口部（オープニング）を画成している。
【００２２】
樹脂部材５０は、複層ガラス３０の端面３０ｂに対向する端面側部位５４を有する。本実施例の端面側部位５４は、複層ガラス３０の端面３０ｂ全体（ガラス板３２及びスペーサ３４）に対向している。即ち、端面側部位５４は、複層ガラス３０の端面３０ｂの全体を覆うように、複層ガラス３０の庫内側表面側から庫外側表面側まで延在している。
【００２３】
金属部材６０は、複層ガラス３０の庫外側表面３０ｃに対向する庫外側部位６２を有する。金属部材６０の庫外側部位６２は、樹脂部材５０の庫内側部位５２と同様に、複層ガラス３０の端面側から形成され、複層ガラス３０の庫外側表面３０ｃに略平行に延在している。庫外側部位６２と複層ガラス３０の庫外側表面３０ｃとの間には、接着剤を封入するための第２の封入空間６５が形成される。庫外側部位６２の端部には、第２の封入空間６５を閉塞する突起６２ａが形成される。尚、突起６２ａと複層ガラス３０の庫外側表面３０ｃとの間に、緩衝材（例えば、軟質樹脂製のモール）が設けられてもよい。
【００２４】
金属部材６０は、複層ガラス３０の端面３０ｂに対向する端面側部位６４を更に有する。端面側部位６４は、複層ガラス３０の端面３０ｂに略平行に延在し、樹脂部材５０の端面側部位５４よりも複層ガラス３０の端面３０ｂから離れる方向にオフセットされている。端面側部位６４は、樹脂部材５０のガスケット保持部位５６を覆う位置まで延在する。金属部材６０の端面側部位６４と庫外側部位６２により画成される角部には、閉断面部６６が形成される。閉断面部６６は、枠材４０の剛性を高める役割を果たす。閉断面部６６の内部には、ガラス扉２０の回転軸（ヒンジピン）が挿通されてよい。
【００２５】
尚、金属部材６０は、枠材４０として必要な強度・剛性に大きく寄与する強度部材であるため、金属部材６０には、ガラス扉２０をショーケース本体１０に対して回転可能に支持するヒンジ機構、ガラス扉２０を閉状態まで引き込むドアクローザー機構、ガラス扉２０の最大開度を規制するストッパ機構、及び、ユーザにより操作されるドアハンドルのような、取付部に高い機械的強度を必要とする機構・部材が取り付られる。
【００２６】
本実施例の樹脂部材５０と金属部材６０とは、枠材４０の長手方向（樹脂部材５０及び金属部材６０の押し出し方向）に沿ったスライド式の係合を介して接続されている。樹脂部材５０及び金属部材６０間のスライド式の接続部は、好ましくは、２ヶ所以上設定され、可能な限り互いに離れた位置に設定される。図２に示す例では、閉断面部６６の複層ガラス端面側に第１の接続部が設定され、当該第１の接続部と略対角位置にある端面側部位６４の庫内側端部に第２の接続部が設定されている。
【００２７】
具体的には、樹脂部材５０は、図２に示すように、Ｔ字形断面の第１の突起部５８と、Ｌ字形断面の第２の突起部５９とを有する。第１の突起部５８は、ガスケット保持部位５６の外側の側面（複層ガラス３０の端面３０ｂから遠い側の側面）に突設されている。第２の突起部５９は、端面側部位５４の外側の面（複層ガラス３０の端面３０ｂから遠い側の面）に突設されている。何れの突起部５８，５９も、その断面形状に起因して、複層ガラス３０の厚み方向の幅が変化している。即ち、複層ガラス３０の端面３０ｂに近い側に、幅の小さい首部を有し、複層ガラス３０の端面３０ｂから遠い側に、幅の大きい頭部を有する。
【００２８】
金属部材６０は、樹脂部材５０の突起部５８，５９をそれぞれ囲繞して保持する突起保持部６８，６９を有する。第１の突起保持部６８は、第１の突起部５８に対応したＴ字形断面の溝を有し、第２の突起保持部６９は、第２の突起部５９に対応したＬ字形断面の溝を有している。尚、第１及び第２の突起保持部６８，６９の各溝と第１及び第２の突起部５８，５９との間には、組み付け時の第１及び第２の突起部５８，５９の各溝内での摺動を確保する最小限の隙間が設定されてよい。
【００２９】
尚、第１及び第２の突起部５８，５９及び第１及び第２の突起保持部６８，６９は、樹脂部材５０及び金属部材６０の押し出し成形により形成され、従って、複層ガラス３０の端面３０ｂに沿って延在する長尺な形状をそれぞれ有することになる。
【００３０】
次に、本実施例によるガラス扉２０の枠材４０の組み付け方法について説明する。先ず、樹脂部材５０の第１及び第２の突起部５８，５９が、金属部材６０の長手方向の一端から、金属部材６０の第１及び第２の突起保持部６８，６９の各溝内に挿入され、次いで、樹脂部材５０の挿入側端部が金属部材６０の他端と一致するまで、第１及び第２の突起部５８，５９が金属部材６０の長手方向に沿って第１及び第２の突起保持部６８，６９の各溝内でスライドされる。これにより、樹脂部材５０と金属部材６０との接続、即ちガラス扉２０の枠材４０の組み付けが完了される。枠材４０は、複層ガラス３０の周縁部に嵌め込まれ、複層ガラス３０の各辺に嵌め込まれた各枠材４０の金属部材６０が互いに締結される。この際、枠材４０（庫内側部位５２及び庫外側部位６２）は、第１及び第２の封入空間５５，６５内に予め塗布・封入された接着剤により複層ガラス３０に固着される。尚、第１及び第２の封入空間５５，６５内の接着剤は、複層ガラス３０の全周に亘って設定されてよく、若しくは、局所的に設定されてもよい。
【００３１】
本実施例では、樹脂部材５０と金属部材６０とは、突起部５８，５９と突起部５８，５９を囲繞・保持する突起保持部６８，６９とが互いに連結されることにより一体となっているので、爪による引掛けや凸部と凹部の嵌め合いによる接続態様に比して、樹脂部材５０と金属部材６０との間の接続が強固になる。従って、樹脂部材５０が金属部材６０に対して図２に示すＸ１、Ｘ２方向に回転変位しようとしても、樹脂部材５０と金属部材６０との接続が容易に解除されることは無い。
【００３２】
これに関して、枠材４０と複層ガラス３０との間にグレージングチャンネルが存在しない構成では、グレージングチャンネルの弾性変形に代わって、樹脂部材５０（特に庫内側部位５２）の変形によって、複層ガラス３０の厚み方向の公差等が吸収されることになる。このような構成では、例えば複層ガラス３０を枠材４０に嵌め込む際、庫内側部位５２が庫内側に開く方向（図２のＸ１方向）に変形する場合がある。この場合、樹脂部材５０は、金属部材６０に対してＸ１方向に回転変位しようとするので、従来的な爪による引掛けや凸部と凹部の嵌め込みによる接続態様では、樹脂部材５０と金属部材６０との間の接続が解除され易くなる。
【００３３】
また、複層ガラス３０を両面から挟持する２つの部位（即ち、庫外側部位６２及び庫内側部位５２）が２部材（即ち、金属部材６０及び樹脂部材５０）で形成されている場合、１部品で形成される場合に比して、庫外側部位６２及び庫内側部位５２間の距離（複層ガラス３０の厚み方向の距離）の公差が大きくなり、それ故に、上述のような樹脂部材５０の変形（変位）が生じ易くなる。
【００３４】
これに対して、本実施例では、上述の如く、樹脂部材５０が金属部材６０に一体的に強固に接続されているので、複層ガラス３０の庫内側表面３０ａを樹脂部材５０の庫内側部位５２により被覆し、複層ガラス３０の庫外側表面３０ｃを金属部材６０の庫外側部位６２により被覆し、且つ、グレージングチャンネルを廃止した場合であっても、それによる弊害（即ち、樹脂部材５０の変形（変位）により接続が解除され易くなるという弊害）が生ずることはなく、信頼性の高い樹脂部材５０及び金属部材６０間の接続が実現される。
【００３５】
また、本実施例では、金属部材６０の庫外側部位６２及び樹脂部材５０の庫内側部位５２は、上述の如く、複層ガラス３０を両面から挟み込むように、複層ガラス３０の表面３０ｃ，３０ａにそれぞれ固着されている。このような構成では、樹脂部材５０の庫内側部位５２が複層ガラス３０の庫内側表面３０ａに単に当接するだけの構成若しくは庫内側表面３０ａをカバーするだけの構成に比して、枠材４０の曲げ・捩じれ剛性（枠材４０による複層ガラス３０の保持剛性）が大きく向上する。一方、このような構成では、樹脂部材５０にガラス扉２０の開閉動作中に多様な入力が作用するので、従来的な爪による引掛けや凸部と凹部の嵌め込みによる接続態様では、強度上（耐久性）の問題が生じうる。これに対して、本実施例では、樹脂部材５０と金属部材６０の接続部に高い強度を付与することができるので、ガラス扉２０の開閉回数の多い過酷な使用環境下においても、高い耐久性を維持することができると共に、樹脂部材５０と金属部材６０との接続が容易に解除されることは無い。
【００３６】
また、本実施例によれば、樹脂部材５０の庫内側部位５２が複層ガラス３０の庫内側表面３０ａに固着されるので、複層ガラス３０の庫内側の周縁部の見栄えが向上する。即ち、本実施例によれば、ガラス扉２０の開閉回数の多い過酷な使用環境下においても、樹脂部材５０の庫内側部位５２が複層ガラス３０の庫内側表面３０ａから容易に浮き上がることはない。
【００３７】
また、本実施例では、樹脂部材５０を庫内側に配設することで、庫内側と庫外側との間での断熱性を高める一方、金属部材６０を樹脂部材５０が庫外から目視できないように庫外側に配設することで、枠材４０の良好な見栄え（意匠性）が確保されている。特に、本実施例では、樹脂部材５０（端面側部位５４）により複層ガラス３０の端面３０ｂ全体が覆われているので、複層ガラス３０の端面３０ｂを介した庫内と庫外との間での熱移動が抑制され、ガラス扉２０全体としての断熱性が向上する。また、金属部材６０と庫内空間との間の熱の絶縁性が増すので、金属部材６０上の結露の発生が効果的に抑制される。これにより、従来的に複層ガラス３０のガラス板３２や枠材４０に設定されていた結露防止用のヒータを廃止することが可能となり得る。
【００３８】
また、本実施例では、複層ガラス３０のガラス板３２の端面に樹脂部材５０（端面側部位５４）が対向・当接しているので、ガラス板３２の端面が、樹脂部材５０の緩衝機能により適切に保護される。従って、本実施例によれば、樹脂部材５０の緩衝機能によりガラス板３２の破砕を防ぐことができるので、ガラス板３２の端面を保護するための追加の部材（典型的にはグレージングチャンネル）が不要となる。また、本実施例では、樹脂部材５０の端面側部位５４が庫内側及び庫外側のガラス板３２の端面に当接しているので、上述のような樹脂部材５０の金属部材６０に対するＸ１、Ｘ２方向の回転変位が更に抑制され、樹脂部材５０と金属部材６０との接続が更に解除され難くなる。
【００３９】
更に、本実施例では、樹脂部材５０及び金属部材６０は、複層ガラス３０の端面３０ｂに垂直な方向で互いに当接し合う当接面８０を有している。この当接面８０は、好ましくは、２ヶ所以上設定され、可能な限り互いに庫内外方向で離れた位置に設定される。当接面８０は、樹脂部材５０の端面側部位５４の背面（端面側部位６４側の面）の略全体に亘って設定されてもよい。図２に示す例では、金属部材６０の閉断面部６６と樹脂部材５０の端面側部位５４との間に、庫外側の当接面８０が設定され、金属部材６０の第１の突起保持部６８と樹脂部材５０のガスケット保持部位５６との間に、庫外側の当接面８０が設定されている。これにより、枠材４０全体としての剛性が更に向上すると共に、上述のような樹脂部材５０の金属部材６０に対するＸ１、Ｘ２方向の回転変位が効果的に抑制される。また、当接面８０を介して樹脂部材５０から金属部材６０への力の伝達が実現されるので、樹脂部材５０と金属部材６０との接続部（特に第１及び第２の突起部５８，５９の根元部）に応力が集中するのが防止される。
【００４０】
次に、図３を参照して、本発明によるショーケースのその他の一実施例を説明する。図３は、図１のＡ−Ａ断面に相当し、本実施例のショーケースの要部断面図である。以下、本実施例の特徴的な構成を説明し、他の構成は上述の実施例と同様であってよい。
【００４１】
本実施例の樹脂部材５０の端面側部位５４は、複層ガラス３０の端面３０ｂに部分的に対向している。即ち、端面側部位５４は、複層ガラス３０の庫内側表面３０ａから庫外側表面３０ｃまでは延在せず、金属部材６０の閉断面部６６付近で終端している。端面側部位５４は、庫内側のガラス板３２の端面に当接する部位を除いて、複層ガラス３０の端面３０ｂから離間している。この離間により、端面側部位５４と複層ガラス３０の端面３０ｂとの間には、空間５７が形成される。空間５７は、金属部材６０の庫外側部位６２と複層ガラス３０の庫外側表面３０ｃとの間の第２の封入空間６５に連通している。空間５７には、第２の封入空間６５と同様、接着剤が塗布・封入される。接着剤は、少なくとも庫外側のガラス板３２の端面と金属部材６０（閉断面部６６）との間に封入される。これにより、ガラス板３２の端面が金属部材６０に接触することを防ぎ、ガラス板３２の破砕を防ぐことができる。接着剤は、図３で封入範囲をハッチングにて示すように、金属部材６０と樹脂部材５０とを直接的に接着できる範囲にも設定されてもよい。この場合、金属部材６０と樹脂部材５０との接続がより強固となる。
【００４２】
金属部材６０の端面側部位６４の外側の表面には、フィン７４が設けられる。フィン７４は、金属部材６０の端面側部位６４の表面積を増加させ、金属部材６０の端面側部位６４の吸熱性能を高める。これにより、金属部材６０上の結露の発生が更に抑制される。尚、上述の実施例においても、金属部材６０の端面側部位６４に同様のフィン７４が設定されてよい。
【００４３】
本実施例においても、上述の実施例と同様、樹脂部材５０と金属部材６０とがスライド式の係合を介して接続されている。本実施例では、第１及び第２の突起部５８，５９は、円形断面の先端部を有している（複層ガラス３０の端面３０ｂに近い側に、幅の小さい首部を有し、複層ガラス３０の端面３０ｂから遠い側に、幅の大きい頭部を有する）。同様に、金属部材６０の第１及び第２の突起保持部６８，６９は、第１及び第２の突起部５８，５９に対応した円形断面の溝を有している。また、上述の実施例と同様、第１及び第２の突起保持部６８，６９は、第１及び第２の突起部５８，５９の複層ガラス３０の厚さ方向の段差を利用して、第１及び第２の突起部５８，５９を囲繞して保持している（即ち、頭部を囲繞して首部を掴むような態様で保持している）。従って、本実施例においても、上述の実施例と同様の効果が奏される。
【００４４】
以上、本発明の好ましい実施例について詳説したが、本発明は、上述した各実施例に制限されることはなく、本発明の範囲を逸脱することなく、上述した各実施例に種々の変形及び置換を加えることができる。
【００４５】
特に、樹脂部材５０と金属部材６０との間のスライド式の接続を実現する構造に関しては、上述した各実施例で示す構造に対して種々の変形及び置換を加えることができる。例えば、突起部５８，５９は、複層ガラス３０の端面３０ｂに近い側に、複層ガラス３０の厚み方向の幅が小さい首部を有し、複層ガラス３０の端面３０ｂから遠い側に、幅の大きい部位を有していればよく、従って、首部が、必ずしも突起部５８，５９の根元にある必要は無く、幅の大きい部位が、必ずしも突起部５８，５９の先端にある必要は無い。また、１つの突起部に対して、同様の首部と頭部が２組以上設定されてもよく、この場合、それに対応して、１つの突起保持部に対して、頭部を収容する室が２つ以上形成される。
【００４６】
また、上述した各実施例では、樹脂部材５０側に突起部が設定され、金属部材６０側に突起保持部が設定されているが、金属部材６０側に突起部が設定され、樹脂部材５０側に突起保持部が設定されてもよい。この場合、複数の接続部のうちある接続部に対しては、樹脂部材５０側に突起部が設定され、その他の接続部に対しては、金属部材６０側に突起部が設定されてもよい。
【００４７】
また、上述の第１実施例において、樹脂部材５０は、複層ガラス３０の庫外側表面３０ｃに対向する庫外側部位を有してよい。即ち、樹脂部材５０は、複層ガラス３０の周縁部を保持するコの字型断面を形成してもよい。但し、この場合、金属部材６０の庫外側部位６２は、樹脂部材５０の庫外側部位を庫外側から覆うように形成される。この場合、樹脂部材５０の庫外側部位は、庫内側部位５２と同様の態様で、複層ガラス３０の庫外側表面３０ｃに固着されてよい。
【００４８】
また、上述の第１実施例において、樹脂部材５０の端面側部位５４は、必ずしも複層ガラス３０の端面３０ｂ全体に当接している必要は無く、複数のガラス板３２の端面に対してのみ当接し、他の部位（スペーサ３４）に対しては離間していてよい。また、樹脂部材５０の端面側部位５４と複層ガラス３０の端面３０ｂとの間に接着剤が介在してもよい。
【００４９】
また、本発明は、１つのショーケース本体１０に対するガラス扉２０の個数やガラス扉２０の開閉方式を特定するものではなく、１つのショーケース本体１０に対して一若しくはそれ以上のガラス扉２０が設定されてもよく、ガラス扉２０の回転軸は、ガラス扉２０の左右何れの側にあってもよく、また、ガラス扉２０の上下側にあってもよい。
【００５０】
また、本発明は、ガラス板３２の種類を特定するものでなく、ガラス板３２としては、表面にフィルム（膜）がコーティングされたガラス板、強化処理の施されたガラス板、複数枚のガラス板がフィルム等の中間膜を介して接合された合わせガラス板等の種々のものが使用できる。また、ガラス板３２としては、いわゆる有機ガラスと称される透明樹脂板やこの透明樹脂板と通常のガラス板との積層体を用いることもできる。また、複層ガラス３０に代えて、一枚のガラス板が使用されてもよい。
【００５１】
また、複数のガラス板３２間に形成される空間には、空気以外の特殊な気体が充填されていてもよいし、真空又は低圧状態の何れであってもよい。
【符号の説明】
【００５２】
１０    ショーケース本体
１２  ショーケース本体の枠材
２０    ガラス扉
３０    複層ガラス
３０ａ    庫内側表面
３０ｂ    端面
３０ｃ    庫外側表面
３２    ガラス板
３４    スペーサ
４０    枠材
５０    樹脂部材
５２    庫内側部位
５２ａ    突起
５４    端面側部位
５５    第１の封入空間
５６    ガスケット保持部位
５８，５９    突起部
６０    金属部材
６２    庫外側部位
６２ａ    突起
６４    端面側部位
６５    第２の封入空間
６６    閉断面部
６８，６９    突起保持部
７０    マグネットガスケット
７２    被保持部
７４    フィン
８０    当接面
【図１】
2011067666.tif 000003
【図２】
2011067666.tif 000004
【図３】
2011067666.tif 000005